(57)【要約】【課題】アンドロイドのソフトウエア資源を有効に利用して早期の端末装置の開発を可能とする。【解決手段】端末装置１０は、アンドロイドを実行するマイクロプロセッサ２１と、マイクロプロセッサに接続されるディスプレイ１３と、マイクロプロセッサ２１を内蔵し、ディスプレイ１３の画像表示面が視認可能となるようにディスプレイ１３を保持する筐体と、マイクロプロセッサ２１に接続され筐体の外部に引き出される入出力信号線と、を備える。【選択図】図６
2014099067.tif 000002
【特許請求の範囲】
【請求項１】
アンドロイドを実行するマイクロプロセッサと、
前記マイクロプロセッサに接続されるディスプレイと、
前記マイクロプロセッサを内蔵し、前記ディスプレイの画像表示面が視認可能となるように該ディスプレイを保持する筐体と、
前記マイクロプロセッサに接続され前記筐体の外部に引き出される入出力信号線と、
を備える端末装置。
【請求項２】
前記筐体の内部にエヌエフシー記録再生部を備える請求項１に記載の端末装置。
【請求項３】
前記筐体は、前記エヌエフシー記録再生部によって記録再生されるカードが挿入可能なカード挿入穴を有し、
前記カード挿入穴に前記カードが装着された状態においては、前記ディスプレイ、前記カード、エヌエフシー記録再生部の順番に配置される請求項２に記載の端末装置。
【請求項４】
前記筐体の表面と前記ディスプレイの画像表示面とが９０度未満の角度を有する請求項１ないし請求項３のいずれかの１項に記載の端末装置。
【請求項５】
前記筐体の前記ディスプレイを保持する面の反対側の面から前記入出力信号線が引き出され、
前記反対側の面は、開口部を有し、
前記開口部を覆う裏面覆蓋を有し、
前記開口部の縁の前記ディスプレイにより近い位置に前記裏面覆蓋を受けるための裏面覆蓋受板が設けられ、
前記裏面覆蓋受板には２つの切断部が形成され、該切断部の中間に可動部が形成され、
前記可動部は、前記入出力信号線の長手方向と直交する方向にのびる凹凸溝を有し、
前記凹凸溝と前記裏面覆蓋とによって前記入出力信号線を押圧する請求項１ないし請求項３のいずれかの１項に記載の端末装置。
【請求項６】
前記ディスプレイの画像表示面にカードを近接配置したとき、前記エヌエフシー記録再生部が該カードに記録再生をする請求項２または請求項３に記載の端末装置。
【請求項７】
該端末装置は、スタンド取付板と、該スタンド取付板に取付ることが可能なスタンドとを備え、
前記スタンドは、
吸盤ホルダと、
前記吸盤ホルダの内部で変形可能な吸盤と、
前記吸盤を前記吸盤ホルダの内部に引き込み、該吸盤と固定対象物の間に真空の空間を形成するためのレバーとを具備する請求項１ないし請求項６の１項に記載の端末装置。
【発明の詳細な説明】
【技術分野】
【０００１】
本発明は、アンドロイドオペレーティングシステムを用いる端末装置に関する。
【背景技術】
【０００２】
ゲーム機器等に接続される端末装置、工作機器等を制御する端末装置、さらには、ホストコンピュータに接続される端末装置として、従来から種々のものが使用されてきた。このような端末機器は、その端末機器が接続される機器に応じて個別にその機器独自のものが採用されてきた。例えば、ゲーム機器においては、カードから遊技のために必要な情報を読込・書込むようにした端末装置が採用されている（例えば、特許文献１を参照）。
【０００３】
また、別の技術として、近年において、スマートフォンのオペレーティングシステムとしてアンドロイド（登録商標）が広く用いられている（例えば、特許文献２を参照）。ここで、スマートフォンとは、インターネットとの親和性が高いパソコンをベースとして作られた高機能携帯電話である。また、アンドロイドとは、スマートフォンやタブレット（多機能携帯端末）などの携帯情報端末を主なるターゲットとして開発されたプラットフォームであり、リナックス（登録商標）をベースとするオープンソース・オペレーティングシステム、ミドルウエア、各種アプリケーションから構成されるソフトウエア集合パッケージである。アンドロイドは、現在、日本、米国において、最も多くのスマートフォンに使用されている。
【先行技術文献】
【特許文献】
【０００４】
【特許文献１】特開２０１０−３５７４０号公報
【特許文献２】特開２０１２−１９０４３６号公報
【発明の概要】
【発明が解決しようとする課題】
【０００５】
しかしながら、上述した端末装置を、その端末装置が接続される種々の産業機器に応じて独自に開発する場合には、端末装置に応じたハードウエアの独自開発、オペレーティングシステム、ミドルウエア、アプリケーションの独自開発が必要となり、開発負担が大きくなる。また、これらの独自開発は、多数の技術者の確保のコストと端末装置のハードウエアのコストとを高いものとしていた。
【０００６】
本発明は、このような点に鑑みなされたものである。すなわち、既に開発がなされているアンドロイドのソフトウエア資源を有効に利用して早期の端末装置の開発を可能とするとともに、スマートフォンの普及によって大量生産され安価となったマイクロプロセッサ等のハードウエア資源を利用して製造コストの低減化を図ることを解決しようとする課題とする。
【課題を解決するための手段】
【０００７】
本発明の端末装置は、アンドロイドを実行するマイクロプロセッサと、前記マイクロプロセッサに接続されるディスプレイと、前記マイクロプロセッサを内蔵し、前記ディスプレイの画像表示面が視認可能となるように該ディスプレイを保持する筐体と、前記マイクロプロセッサに接続され前記筐体の外部に引き出される入出力信号線と、を備える。
【発明の効果】
【０００８】
本発明の端末装置によれば、既に開発がなされた、アンドロイドのオープンソース・オペレーティングシステム、ミドルウエア、各種アプリケーションを有効に利用して早期の開発を可能とするとともに、スマートフォンの普及によって大量生産され安価となった、アンドロイドを実行するマイクロプロセッサ、このマイクロプロセッサに接続される各種ＩＣ等のハードウエアを利用して製造コストの低減化を図ることができる。
【図面の簡単な説明】
【０００９】
【図１】実施形態の端末装置の表面側が表された斜視図である。
【図２】実施形態の端末装置の裏面側を表す図である。
【図３】実施形態の端末装置の裏面側に着脱可能とされる裏面覆蓋を外したときの端末装置の内部を表す図である。
【図４】実施形態の端末装置の断面図である。
【図５】裏面筐体枠に設けられたケーブルの押え構造を示す図である。
【図６】回路基板の上にマウントされた回路部のブロック図である。
【図７】実施形態の端末装置の取付け断面図である。
【図８】実施形態のスタンド付端末装置の分解図である。
【図９】スタンド付端末装置を固定対象物に取付前の斜視図である。
【図１０】スタンド付端末装置を固定対象物に取付後の斜視図である。
【発明を実施するための形態】
【００１０】
実施形態の端末装置は、端末装置は、アンドロイドを実行するマイクロプロセッサと、マイクロプロセッサに接続されるディスプレイと、マイクロプロセッサを内蔵し、ディスプレイの画像表示面が視認可能となるようにディスプレイを保持する筐体と、マイクロプロセッサに接続され筐体の外部に引き出される入出力信号線（ケーブル）と、を備える。
【００１１】
以下、図面を参照してより詳しく実施形態の説明をする。
【００１２】
「実施形態の端末装置の説明」
図１は、実施形態の端末装置の表面側が表された斜視図である。図２は、実施形態の端末装置の裏面側を表す図である。図３は、実施形態の端末装置の裏面側に着脱可能とされる裏面覆蓋を外したときの端末装置の内部を表す図である。図４は、実施形態の端末装置の断面図である。図５は、裏面筐体枠に設けられたケーブルの押え構造を示す図である。
【００１３】
図１、図２、図３、図４、図５を参照して、実施形態の端末装置１０について以下に説明をする。
【００１４】
図１に表されている端末装置１０の構成部品について説明をする。端末装置１０は、表面側筐体１１と裏面側筐体１２とを有し、表面側筐体１１と裏面側筐体１２とで形成される空間の内部に構成部品を有する。また、端末装置１０は、ディスプレイ１３、スピーカ１４、カメラ１５、マイクロフォン１６、ケーブル（第１のケーブル）３０、ケーブル（第２のケーブル）３１を有する。図１には、端末装置１０の構成部品ではないカード４０が表されている。カード４０は、端末装置１０のカード挿入穴２７に対して着脱可能とされ、図１には、端末装置１０に装着されたカード４０が図示されている。表面側筐体１１と裏面側筐体１２とは、プラスチック成形品である。
【００１５】
図２に表されている端末装置１０の構成部品について説明をする。裏面側筐体１２は開口部を有する裏面筐体枠１２ａと、この開口部を覆う裏面覆蓋１２ｂとを有する。裏面覆蓋１２ｂは裏面筐体枠１２ａに対してビス１２ｃによって着脱可能とされる。裏面覆蓋１２ｂを裏面筐体枠１２ａに装着するに際しては、裏面覆蓋１２ｂの一辺の先端部は裏面筐体枠１２ａの開口部の一辺に挿入され、ビス１２ｃによって裏面覆蓋１２ｂの該一辺の反対側に位置する他辺の周辺部は裏面筐体枠１２ａに固着される。ビス１２ｄは、表面側筐体１１と裏面側筐体１２とを固着する。
【００１６】
図３に表されている端末装置１０の構成部品について説明をする。図３は、端末装置１０の裏面覆蓋１２ｂを外したときの端末装置１０の内部を表す図である。回路基板１７の上に回路部品がマウントされている。回路基板１７にはコネクタ１８の一方、コネクタ１９の一方、コネクタ２０の一方の各々がマウントされている。コネクタ１８の他方、コネクタ１９の他方、コネクタ２０の他方の各々には線材が接続され、コネクタ１９の他方からの線材はケーブル３０を形成し、コネクタ１８の他方からの線材はケーブル３１を形成する。図３においては、カード４０は記載されていない。
【００１７】
図４は、端末装置１０のA-A断面図（図２を参照）である。
【００１８】
図５は、裏面筐体枠１２ａに設けられたケーブル３０、ケーブル３１の押え構造を示す図である。図５に示すケーブルの押え構造は、図３において、ケーブル３０、ケーブル３１によって覆い隠された部分である。裏面筐体枠１２ａの開口部の縁のディスプレイ１３により近い位置に裏面覆蓋１２ｂを受けるための裏面覆蓋受板１２２が設けられる。裏面覆蓋受板１２２には２つの切断部１２３が形成される。この切断部１２３の中間に可動部１２２ｃが形成される。可動部１２２ｃの両端に固定部１２２ａと固定部１２２ｂとが形成される。ビス受穴１２５はビス１２ｄを受けるための穴部である。
【００１９】
可動部１２２ｃは、ケーブル３０およびケーブル３１の長手方向と直交する方向にのびる凹凸溝１２４を有する。可動部１２２ｃは切断部１２３の作用によってディスプレイ１３の側に可動可能であるので、可動部１２２ｃの凹凸溝１２４と裏面覆蓋１２ｂとの間においてケーブル３０およびケーブル３１が押圧される。ケーブル３０およびケーブル３１の長手方向に張力が加わっても、凹凸溝１２４がケーブル３０およびケーブル３１を押圧して固着するので、コネクタ１８、コネクタ１９、コネクタ２０の各々についてコネクタの結合部が分離されることがない。
【００２０】
図６は、回路基板１７の上にマウントされた回路部のブロック図である。図６を参照して回路部について以下説明をする。
【００２１】
マイクロプロセッサ (MPU:Micro-Processing Unit）２１としてはARM11プロセッサ・ファミリを用いる。MPU２１には、アンドロイドのオペレーティングシステム、ミドルウエア、各種アプリケーションがインストールされる。MPU２１は端末装置１０の中心となる部分である。
【００２２】
MPU２１には、ディスプレイ(Display)１３、スピーカ(Speaker)１４、カメラ(Camera)１５、マイク(Microphone)１６、無線ラン(WLAN)２２、運動センサ(Motion Sensor)２３、エヌエフシー記録再生部(NFC R/W:Near Field Communication R/W)２４、スリージーチップ(3rd. Generation chip)２５の各々が接続される。これらの各々は、アンドロイドによって制御される。
【００２３】
ディスプレイ１３は、４．３インチの液晶(LCD/4.3inch)１３ａとタッチスクリーン(Touch Screen)１３ｂとの組合せを用いる。端末装置１０の操作者は、液晶１３ａの表示を見ながらタッチスクリーン１３ｂに触れ、MPU２１はどの位置に触れたかを判別する。
【００２４】
カメラ（Camera）１５の画素数は、５００万画素である。運動センサ２３は、加速度センサ、GPS(Global Positioning System)で構成される。スリージーチップ２５は、第三世代と呼ばれる携帯電話回線に対応する半導体チップである。
【００２５】
エヌエフシー記録再生部２４は、数cmの至近距離で、カード４０との間でデータ通信を行なう。カード４０としては、フェリカ(Felica)（登録商標）を用いる。カード４０を端末装置１０に着装した状態において、カード４０に配された半導体チップ（図示せず）が、エヌエフシー記録再生部２４に近接する。このようにして、MPU２１はカード４０の半導体チップに情報を記録し、半導体チップからの情報を再生して取得することができる。すなわち、カード４０を端末装置１０のカード挿入穴２７（図１を参照）に挿入した状態において、ディスプレイ１３に表示される画像を視認しながら、カード４０の半導体チップに対して、エヌエフシー記録再生部２４を介して読み書きが可能となる。
【００２６】
本実施形態においては、回路基板１７とディスプレイ１３との間にシールド板を挿入していない。従来は、回路基板１７が発生する電気ノイズ、特に、MPU２１が発生する電気ノイズによってディスプレイ１３に表示される画像が乱れるとして回路基板１７とディスプレイ１３との間にシールド板を挿入するのが常套手段であった。具体的にはディスプレイ１３を構成する液晶(TFT液晶)の視認面の裏面に対面してシールド板が配置されていた。しかしながら、本出願の願書に記載の発明者（以下、発明者と省略する）は、鋭意、実験を繰り返し、回路基板１７の上の各回路部品の配置等に工夫を凝らしてシールド板を除去しても回路部からの電気ノイズによってディスプレイ１３に表示される画像が乱れないようにすることに成功した。
【００２７】
このような従来にはない構成を採用することによって、本実施形態の端末装置１０においては、カード４０を端末装置１０の内部に挿入することによっても記録および再生を可能となすのみならず、カード４０をディスプレイ１３の画像表示面に近接させることによっても記録および再生を可能となした。すなわち、カード４０の半導体チップと回路基板１７のエヌエフシー記録再生部２４との間にいかなる場合もシールド板を介在させないようにした。
【００２８】
表１に実施形態の端末装置１０の仕様をまとめる。
【００２９】
【表１】
2014099067.tif 000003
【００３０】
図７は、実施形態の端末装置の取付け断面図である。
【００３１】
表面側筐体１１の表面とディスプレイ１３の画像表示面に直交する面とは角度θを有するように表面側筐体１１の表面を傾斜させている。すなわち、表面側筐体１１の表面とディスプレイ１３の画像表示面とが９０度未満の角度を有するようにしている。板材５１は、ガラス板、プラスチック板、金属板等の板材である。板材５１は、例えば、ゲーム機器の遊戯盤面を透視できるように覆う光透過板であってもよく、金属板のような光不透過板であってもよい。端末装置１０の裏面側筐体１２の側から押圧力を印加することによって、端末装置１０を容易に固着することができる。すなわち、端末装置１０を板材５１に固着するに際しては、端末装置１０のディスプレイ１３側の面の間口よりも板材５１の切欠き部の間口の方が広いので容易に端末装置１０を切欠き部に挿入できる。そして、端末装置１０の側面は角度θで傾斜しているので、端末装置１０の側面と板材５１の切欠き部の側面とが接触して裏面側筐体１２の側から押圧力を印加してもそれ以上移動することはなくなる。この位置が裏面側筐体１２の側から押圧力を印加する場合の端末装置１０と板材５１とが固着する位置である。
【００３２】
このようにして端末装置１０を板材５１に固着することによって、例えば、ゲーム機器にあっては、視認者が遊戯盤面を視認しながら、ディスプレイ１３も同時に視認できる。
【００３３】
また、図７に示すように、端末装置押圧板５３をビス５２によって固着することによっても、端末装置１０を板材５１に固着することができる。端末装置１０の側面と板材５１の切欠き部の側面とが完全に接触しない場合であっても、端末装置１０の裏面側筐体１２は端末装置押圧板５３によって位置が規制され、また、端末装置１０の側面と板材５１の切欠き部の側面との接触によって反対方向の位置が規制されている。すなわち、わずかなガタがあるとしても、端末装置１０は板材５１によって位置が規制されており、ディスプレイ１３のタッチスクリーンを押す操作を行う場合においても端末装置１０を安定して操作することができる。
【００３４】
（実施形態の端末装置の特徴）
実施形態の端末装置の特徴を要約すると以下である。
【００３５】
実施形態の端末装置１０は、アンドロイドを実行するマイクロプロセッサ（MPU）２１と、マイクロプロセッサに接続されるディスプレイ１３と、マイクロプロセッサ２１を内蔵し、ディスプレイ１３の画像表示面が視認可能となるようにディスプレイ１３を保持する筐体（表面側筐体１１）と、マイクロプロセッサ２１に接続され筐体の外部に引き出される入出力信号線（ケーブル３０、ケーブル３１）と、を備える。
【００３６】
また、端末装置１０は、筐体（表面側筐体１１、裏面側筐体１２）の内部にエヌエフシー記録再生部２４を備えるようにしてもよい。また、筐体（表面側筐体１１）は、カード４０が挿入可能なカード挿入穴２７を有している。カード挿入穴２７にエヌエフシー記録再生部２４によって記録再生可能なカード４０が装着された状態においては、ディスプレイ１３、カード４０、エヌエフシー記録再生部２４の順番に配置される。
【００３７】
また、筐体（表面側筐体１１、裏面側筐体１２）の内部のエヌエフシー記録再生部２４は、ディスプレイ１３の画像表示面にカード４０を近接配置したとき、エヌエフシー記録再生部２４がカード４０に記録再生をするようにしてもよい。
【００３８】
また、筐体（表面側筐体１１）の表面とディスプレイ１３の画像表示面に直交する面とは角度θを有するようにしてもよい。すなわち、表面側筐体１１の表面とディスプレイ１３の画像表示面とが９０度未満の角度を有するようにしてもよい。
【００３９】
また、端末装置１０は、筐体（表面側筐体１１）のディスプレイ１３を保持する面の反対側の面（裏面側筐体１２）から入出力信号線（ケーブル３０、ケーブル３１）が引き出され、反対側の面（裏面側筐体１２）は、開口部を有し、開口部を覆う裏面覆蓋１２ｂを有し、開口部の縁のディスプレイ１３により近い位置に裏面覆蓋１２ｂを受けるための裏面覆蓋受板１２２が設けられ、裏面覆蓋受板１２２には２つの切断部１２３が形成され、該切断部１２３の中間に可動部１２２ｃが形成され、可動部１２２ｃは、入出力信号線（ケーブル３０、ケーブル３１）の長手方向と直交する方向にのびる凹凸溝１２４を有し、凹凸溝１２４と裏面覆蓋１２ｂとによって入出力信号線（ケーブル３０、ケーブル３１）を押圧するようにしてもよい。
【００４０】
（実施形態の端末装置の変形例）
上述した表面側筐体１１と裏面側筐体１２の材料は、絶縁特性を有するとともに、可動部１２２ｃがわずかに撓む性質とを有するものであればよく、プラスチック成形品に限らない。また、筐体を構成する各部材の固着方法はビスを用いるもの以外、例えば、嵌め込み式であってもよい。
【００４１】
ディスプレイ１３のサイズは４．３インチ以外に、５インチサイズであってもよい。発明者は、５インチサイズにおいても、発生する電気ノイズによってディスプレイ１３に表示される画像が乱れないように回路基板１７の部品配置が可能であることを確認した。このとき、カード４０に配された半導体チップとエヌエフシー記録再生部２４との間のおける記録再生は十分なノイズマージンを有して安定に行われることも確認した。
【００４２】
ケーブルについては、ケーブルによって外部に引き出す信号の種類によってその構成が変化する。例えば、ケーブルによってサポートされる入出力インターフェイスは、ユーエスビー(USB)は、ホスト（Host）ユーエスビー機器どうしを直接接続するUSB On-The-Go(USB OTG）、RS232C等のシリアルポート、3bitのパラレルポート等の種々の組合せであってよい。また、各ポートの数は任意に選択できる。通常のスマートフォンは、入出力インターフェイスとしてユーエスビーのみしか有せず、この端末装置のような拡張性がない。
【００４３】
カード４０は、フェリカ以外であってもよく、例えば、マイフェア（Mifare）（登録商標）であってもよい。
【００４４】
MPU２１はARM11プロセッサ・ファミリ以外であっても、アンドロイドのオペレーティングシステム、ミドルウエア、各種アプリケーションがインストール可能であれば、これに限らない。
【００４５】
カメラ(Camera)１５の画素数は、５００万画素以外の画素であってもよく、２００万画素等の種々の画素数を選択できる。スリージーチップ２５をフォージーチップ(4th. Generation chip)に置き換えることもできる。
【００４６】
（実施形態のスタンドを備える端末装置）
端末装置にスタンドを備えることによって、ゲーム機器、工作機器、ホストコンピュータ等（以下、これらを総称して産業機器と称する）または固定物に端末装置を固着することもできる。
【００４７】
図８は、スタンドを備える端末装置の分解図である。
【００４８】
図８に示すスタンド付端末装置（スタンドを備える端末装置）８０は、上述した端末装置１０の構成に加えスタンド取付板１２ｇを有するスタンド取付板付端末装置１０１とスタンド６０とを有する。
【００４９】
図８に示すスタンド取付板付端末装置１０１は、上述した端末装置１０にさらにスタンド取付板１２ｇを付加するものである。スタンド取付板１２ｇは、スタンド取付板付端末装置１０１をスタンド６０に取付けるための部材である。スタンド取付板１２ｇは、裏面覆蓋１２ｂに固着されている。裏面覆蓋１２ｂとスタンド取付板１２ｇとは、一体構造であってもよい。
【００５０】
図８に示すスタンド６０は、吸盤ホルダ６０ａ、引き棒格納部６０ｂ、端末取付板６０ｃ、レバー取付部６０ｄ、引き棒６０ｅ、圧縮コイルバネ６０ｆ、吸盤６０ｇ、回転軸ボルト６０ｉ、回転軸ナット６０ｊ、レバー回転軸６０ｋ、レバー６０ｍ、レバービス６０ｎを有している。圧縮コイルバネ６０ｆは金属であり、それ以外は、プラスチック材料である。回転軸ボルト６０ｉ、回転軸ナット６０ｊ、レバー回転軸６０ｋ、レバービス６０ｎを金属としてもよく、材料の選択はこれに限られない。また、吸盤ホルダ６０ａ、引き棒格納部６０ｂ、端末取付板６０ｃ、レバー取付部６０ｄは一体成型品としてもよい。吸盤６０ｇは、変形する材料であり、ゴム材であってもよい。
【００５１】
吸盤ホルダ６０ａは、引き棒格納部６０ｂ、端末取付板６０ｃ、レバー取付部６０ｄを取付ける基台となる部分である。引き棒格納部６０ｂには引き棒６０ｅが格納される。引き棒６０ｅの先端部に吸盤６０ｇが取付けられる。
【００５２】
端末取付板６０ｃとスタンド取付板付端末装置１０１のスタンド取付板１２ｇとは、面接触をして相互に回動する。端末取付板６０ｃとスタンド取付板１２ｇとの回動の回転軸は、回転軸ボルト６０ｉ、回転軸ナット６０ｊによって形成される。スタンド取付板１２ｇの端末取付板６０ｃと接する面には回動中心から放射状に伸びるセレーションが設けられている。また、端末取付板６０ｃのスタンド取付板１２ｇと接する面にも回動中心から放射状に伸びるセレーションが設けられている。スタンド取付板１２ｇのセレーションと端末取付板６０ｃのセレーションとは同一ピッチとされ、噛み合うようにされている。
【００５３】
回転軸ボルト６０ｉと回転軸ナット６０ｊと緩めることによって回動させ、所望の位置で回転軸ボルト６０ｉと回転軸ナット６０ｊとをきつく締ることによって、スタンド取付板付端末装置１０１とスタンド６０との相互の位置関係を固定できる。ここで、回転軸ボルト６０ｉに六角ボルト穴を配することによって強い締め付け力を確保するとともに、盗難を防止することができる。
【００５４】
レバー６０ｍの押し上げ、押し下げによってレバー回転軸６０ｋの位置が変化する。レバー６０ｍのレバービス６０ｎが配される側は人によって押し下げ、押し上げがなされるようにされており、レバー６０ｍの吸盤ホルダ６０ａと接する側には突起が設けられている。レバー回転軸６０ｋは引き棒６０ｅの一方の端に回動可能に連結されている。
【００５５】
引き棒６０ｅの周囲に配置される圧縮コイルバネ６０ｆの作用によって、引き棒６０ｅは吸盤ホルダ６０ａに対して付勢されている。レバー６０ｍは、押し下げ、または、押し上げのいずれか一方の状態を維持するようになされている。すなわち、圧縮コイルバネ６０ｆの作用によって、レバー６０ｍの突起の底部６０ｍｔが吸盤ホルダ６０ａと接するか、レバー６０ｍの突起の先端６０ｍｓが吸盤ホルダ６０ａと接するかいずれかとされる。
【００５６】
引き棒格納部６０ｂには長溝が形成され、レバー６０ｍとこの長溝とをレバー回転軸６０ｋが貫通する。スタンド６０のレバー６０ｍの押し下げによって、レバー６０ｍの突起の先端６０ｍｓが吸盤ホルダ６０ａと接触し、レバー回転軸６０ｋの位置が引き棒格納部６０ｂの内部方向へ移動し、接引き棒６０ｅに連結される吸盤６０ｇの中心部が引き棒６０ｅによって引き棒格納部６０ｂの方向へ引かれ、吸盤には強い吸引力が発生する。また、スタンド６０のレバー６０ｍの押し上げによって、レバー６０ｍの突起の底部６０ｍｔが吸盤ホルダ６０ａと接触し、レバー回転軸６０ｋの位置が引き棒格納部６０ｂの外部方向へ移動し、接引き棒６０ｅに連結される吸盤６０ｇの中心部が引き棒６０ｅによって引き棒格納部６０ｂの方向へ押され、吸盤には吸引力が発生しない。
【００５７】
図９は、スタンド付端末装置を固定対象物に取付前の斜視図である。
【００５８】
図９では、スタンド６０のレバー６０ｍは押し上げられている。スタンド６０のレバー６０ｍが押し上げられると、レバー６０ｍの突起の底部６０ｍｔが吸盤ホルダ６０ａと接し引き棒６０ｅは引き棒格納部６０ｂの内部に引込まることはない。よって、吸盤６０ｇと、固定対象物７０との間に吸引力は働かず、スタンド６０は固定対象物７０に固着されない。固定対象物７０は、産業機器または固定物等である。また、スタンド６０が固定対象物７０に固着されている場合でも、レバー６０ｍを押し上げ、図９に示すレバー６０ｍの位置とすることによって、吸盤６０ｇと固定対象物７０との間の真空の空間をなくし固着を解除できる。
【００５９】
図１０は、スタンド付端末装置を固定対象物に取付後の斜視図である。
【００６０】
スタンド６０のレバー６０ｍが押し下げられると、レバー６０ｍの突起の先端６０ｍｓが吸盤ホルダ６０ａと接して、引き棒６０ｅが引き棒格納部６０ｂの内部に引込まれる。そして吸盤６０ｇの中心部が引き棒６０ｅによって引き棒格納部６０ｂの方向へ引かれる。それによって、吸盤６０ｇと、固定対象物７０との間に真空の空間が形成され吸引力が働き、スタンド６０は固定対象物７０に固着される。そして、レバービス６０ｎによってレバー取付部６０ｄとレバー６０ｍとを締め付ければ固着が容易に解除されることはない。ここで、レバービス６０ｎに六角ボルト穴を配することによって強い締め付け力を確保するとともに、盗難を防止することができる。
【００６１】
図９、図１０に示すように、スタンド６０のレバー６０ｍの押し上げ、押し下げによって、スタンド６０を固定対象物７０に容易に固着し、固着解除できる。ここで、レバービス６０ｎの溝形状を通常のドライバー先端形状と異なるものとすれば、スタンド付端末装置８０の盗難を防止できる。さらに、回転軸ボルト６０ｉと回転軸ナット６０ｊとをネジロックすれば、スタンド付端末装置８０の盗難防止の効果は向上する。
【００６２】
要するに、スタンド付端末装置（スタンドの付いた端末装置）８０は、スタンド取付板１２ｇを有し、スタンド取付板１２ｇに取付ることが可能なスタンド６０を備え、スタンド６０は、吸盤ホルダ６０ａと、吸盤ホルダ６０ａの内部で変形可能な吸盤６０ｇと、吸盤６０ｇを吸盤ホルダ６０ａの内部に引き込み、吸盤６０ｇと固定対象物７０の間に真空の空間を形成するためのレバー６０ｍとを具備する。そして、レバー６０ｍを押し下げることによって吸盤と固定対象物７０との間に真空の空間を形成し、スタンド付端末装置８０と固定対象物７０とを固着する。また、レバー６０ｍを押し上げることによって、吸盤６０ｇと固定対象物７０との間の真空の空間をなくし固着を解除できる。
【００６３】
「実施形態の端末装置を用いる装置の説明」
実施形態の端末装置はアンドロイドアプリケーションの可能性を多機能携帯電話に限らず、産業用のすべての機器に拡大するものである。その応用は、カウンター、車載、機器組込と枚挙に暇がない。これらの応用は、その特定の機器に特化したアンドロイドのアプリケーションソフトの開発と、既存のアンドロイドのオペレーションシステム、ミドルウエアの組み合わせとによって効果的なものとなる。
【００６４】
例えば、各種の決済端末装置として用いることができる。端末装置の内部にカードを保持する決済端末装置することもでき、また、ディプレイにカードを近接するタイプの決済端末装置することもできる。カードは、フェリカ、マイフェアとしてもよい。決済端末装置の内部のコネクタからケーブルによってカードの記録再生部を引き出せば、スワイプ式カードを用いることもできる。
【００６５】
例えば、インターネットに接続する情報端末装置として用いることができる。ワイファイ（WiFi）（登録商標）、スリージー(3G)、フォージー(4G)のいずれか、または、これらの組合せを通信手段として用いることができる。
【００６６】
例えば、デジタル・サイネージ用の端末装置として用いることができる。デジタル・サイネージ（Digital Signage：電子看板）とは、表示と通信にデジタル技術を活用して平面ディスプレイやプロジェクタによって映像、情報を表示する広告媒体である。
【００６７】
例えば、抽選機能、ポイント登録機能を有する産業用機器の端末装置として用いることができる。また、ゲーム機器にこのような端末装置を接続して、カードを用いて遊技金額の決済、ポイントの登録をすることができる。また、店舗において、カードを用いて商品の購入金額の決済、ポイントの登録をすることができる。
【００６８】
例えば、ネットを利用した通話機能や顔認証機能と組み合わせた入退室管理機器、または、インターフォンとして利用することができる。
【００６９】
例えば、端末装置が有するGPS機能と地図アプリケーションソフトおよび位置情報取得アプリケーションソフトとを組み合わせて様々なサービスを展開できる。具体的には、ゴルフ場で使用される電動式カートに端末装置を装着して各電動式カートの位置情報を管理センターに送信して、この位置情報に基づき運行の管理を行うことができる。また、タクシーにこのような端末装置を取付け、GPS機能を用いて道路のナビゲーション情報をディスプレイに表示するとともに、乗車賃のカード決済を行うことができる。さらに、この端末装置にケーブルを介してプリンタを接続し、このプリンタからレシートを出力することができる。
【００７０】
このような端末装置は、上述したようにケーブルを用いて種々の外部装置に接続する入出力インターフェイスを構成することができるので、ほとんどすべての産業機器の端末装置として応用でき、その応用分野は上述したものにとどまるものではない。
【符号の説明】
【００７１】
１０  端末装置、  １１  表面側筐体、  １２  裏面側筐体、  １２ａ  裏面筐体枠、  １２ｂ  裏面覆蓋、  １２ｃ、１２ｄ  ビス、  １２ｇ  スタンド取付板、  １３  ディスプレイ、  １４  スピーカ、  １５  カメラ、  １６  マイクロフォン、  １７  回路基板、  １８、１９、２０  コネクタ、  ２１  マイクロプロセッサ、  ２３  運動センサ、  ２４  エヌエフシー記録再生部、  ２５  スリージーチップ、  ２７  カード挿入穴、  ３０、３１  ケーブル、  ４０  カード、  ５１  板材、  ５２  ビス、  ５３  端末装置押圧板、  ６０  スタンド、  ６０ａ  吸盤ホルダ、  ６０ｂ  引き棒格納部、  ６０ｃ  端末取付板、  ６０ｄ  レバー取付部、  ６０ｅ  引き棒、  ６０ｆ  圧縮コイルバネ、  ６０ｇ  吸盤、  ６０ｉ  回転軸ボルト、  ６０ｊ  回転軸ナット、  ６０ｋ  レバー回転軸、  ６０ｍ  レバー、  ６０ｍｓ  先端、  ６０ｍｔ  底部、  ６０ｎ  レバービス、  ７０  固定対象物（産業機器または固定物等）、  ８０  スタンド付端末装置（スタンドの付いた端末装置）、  １０１  スタンド取付板付端末装置、  １２２  裏面覆蓋受板、  １２２ａ、１２２ｂ  固定部、  １２２ｃ  可動部、  １２３  切断部、  １２４  凹凸溝、  １２５  ビス受穴
【図１】
2014099067.tif 000004
【図２】
2014099067.tif 000005
【図３】
2014099067.tif 000006
【図４】
2014099067.tif 000007
【図５】
2014099067.tif 000008
【図６】
2014099067.tif 000009
【図７】
2014099067.tif 000010
【図８】
2014099067.tif 000011
【図９】
2014099067.tif 000012
【図１０】
2014099067.tif 000013